(57)【要約】      （修正有）【課題】検出器ブロックと試料気化室に対するカラム挿入長さを仕様通り確保するガスクロマトグラフを提供する。【解決手段】検出器ブロック４および試料気化室にカラム挿入長さを規制するためにカラム１の先端を当接する係止部１１を内設するとともにカラム挿入口に向かって拡大する円錐状凹部１２を形成する。またカラム１と滑合するフェルール２に、外周部は先端に向かって縮小する円錐状凸部１３および内周部は先端に向かって拡大する円錐状凹部１７を設けることによりカラム１の先端が破損することがなく取付け作業を容易に且つ正確に行うことができる。【選択図】図１
0003158049.tif 000002
【実用新案登録請求の範囲】
【請求項１】
注入された試料を気化する試料気化室と、前記試料気化室に挿入されるとともに気化された前記試料が導入されるカラムと、前記カラムが挿入され前記カラムを通過した試料が溶出するとともに、前記試料の定量定性分析を行う検出器を取付ける検出器ブロックと、前記試料気化室および前記検出器ブロックと挿入された前記カラムを密封連結するためのフェルールを備えたガスクロマトグラフにおいて、前記試料気化室と前記検出器ブロックに対して挿入される前記カラムの先端位置を規制する係止部が前記試料気化室と前記検出器ブロックに内設されたことを特徴とするガスクロマトグラフ。
【請求項２】
カラム挿入口に向かって拡大する円錐状凹部を形成する前記試料気化室および前記検出器ブロックを備え、前記フェルールは、外周部は前記試料気化室および前記検出器ブロックの円錐状凹部に嵌合する端部に向かって縮小する円錐状凸部および内周部は前記端部に向かって拡大する円錐状凹部が形成されていることを特徴とする請求項１記載のガスクロマトグラフ。
【請求項３】
前記係止部が、前記試料気化室および前記検出器ブロックに対する前記カラムの挿入長さを予め定められた値に規制する位置に内設されたことを特徴とする請求項１記載のガスクロマトグラフ。
【請求項４】
前記係止部のカラム軸心上にカラム外径より小さな孔を有することを特徴とする請求項１または２または３記載のガスクロマトグラフ。
【考案の詳細な説明】
【技術分野】
【０００１】
本考案は、試料分析に用いられるガスクロマトグラフに係り、特にガスクロマトグラフの検出器とカラムあるいは試料気化室とカラムを連結するための密封用フェルールにカラムを貫設したガスクロマトグラフに関する。
【背景技術】
【０００２】
分析計の一種であるガスクロマトグラフは、固定相を充填したカラムに移動相であるキャリアガスを連続的に流し、瞬間的に混合試料をカラムの入口から導入することによって、混合試料が移動相とともにカラム内を移動する間に固定相に対する各成分の吸着性（親和性）や分配係数の差異に基づく移動速度の差を利用して各成分を相互分離し、定量定性分析する装置である（特許文献１参照）。
【０００３】
前記カラムと、該カラムの両端にそれぞれ密封連結された試料気化室および検出器ブロックによって、ガスクロマトグラフの一部が構成される。前記混合試料が前記キャリアガスとともに、前記試料気化室、またはカラムを通り、検出器ガス導入路から導入された検出器ガスとともに前記検出器ブロックを経て検出器に導入される。
【０００４】
図４は従来のガスクロマトグラフにおける検出器ブロックおよび試料気化室とカラムの密封連結状態を説明するために、検出器ブロックを例に検出器ブロックとカラムの連結状態を示している。検出器ブロック７のねじ部７Ｎに螺合させたナット３を締め込むことにより、カラム１を貫設したフェルール６の円錐状凸部１９を検出器ブロック７の円錐状凹部１８に押圧させ、検出器ブロック７とフェルール６、およびフェルール６とカラム１を連結させ、結果的に検出器ブロック７とカラム１が密封連結される。
【０００５】
したがって前記混合試料は前記キャリアガスとともに、連続的な流れとして試料気化室（図示せず）を経て、前記カラム１を通り、検出器ガス導入路２３から導入された検出器ガスとともに前記検出器ブロック７を経て検出器（図示せず）に導入される。
【０００６】
カラム１をガスクロマトグラフに取付ける場合、前記検出器ブロック７および前記試料気化室（図示せず）に対するカラム挿入長さを設定することは重要で試料分析の感度や精度に重要な影響を及ぼす。
【０００７】
前記試料気化室（図示せず）においては前記カラム１の先端部より気化した試料が導入されるが、その位置により導入量あるいは導入タイミングが異なるために最適なカラム挿入長さが設定される。また前記検出器ブロック７においても前記カラム１の先端部の位置により検出感度や最小検出量等が左右されるために同様に最適なカラム挿入長さが設定される。
【０００８】
したがって通常、前記カラム挿入長さは前記検出器ブロック７または前記試料気化室（図示せず）に対して予め定められ、ガスクロマトグラフの取扱説明書にその値が記載されている。分析者はカラム取付け時に物差し等の定規を当てながらカラム挿入長さを一々確認して取付けていた。
【先行技術文献】
【特許文献】
【０００９】
【特許文献１】特開平７−２０１１２号公報
【考案の概要】
【考案が解決しようとする課題】
【００１０】
分析者はカラム取付け時に物差し等で検出器ブロック７および試料気化室（図示せず）に対するカラム挿入長さを確認しながら、カラム１に通したフェルール６の円錐状凸部１９をナット３で締め込み、検出器ブロック７の円錐状凹部１８に押し進めることにより検出器ブロック７とフェルール６、およびフェルール６とカラム１を固着させ、結果的に検出器ブロック７とカラム１が密封連結される。
【００１１】
しかしながら、カラム１とフェルール６は微小な隙間を持った滑合関係にあるため、互いの位置を指定寸法に維持しながらナット３を締め込むことは非常に困難であり、カラム１とフェルール６を固着させた後一旦外して前記カラム挿入長さを計測確認し、前記カラム挿入長さが確保されていない場合には修正が必要であった。
【課題を解決するための手段】
【００１２】
本考案は上記課題を解決するために、注入された試料を気化する試料気化室と、前記試料気化室に挿入されるとともに気化された前記試料が導入されるカラムと、前記カラムが挿入され前記カラムを通過した試料が溶出するとともに、前記試料の定量定性分析を行う検出器を取付ける検出器ブロックと、前記試料気化室および前記検出器ブロックと挿入された前記カラムを密封連結するためのフェルールを備えたガスクロマトグラフにおいて、前記試料気化室と前記検出器ブロックに対して挿入される前記カラムを係止する係止部を前記試料気化室と前記検出器ブロックに内設する。
【考案の効果】
【００１３】
本考案によりカラムを検出器ブロックおよび試料気化室に取付ける際、物差し等の定規を当てながらカラム挿入長さを一々確認して取付ける必要がなく、前記係止部にカラム先端を軽く当ててナットを締め込むだけでよく、作業を容易に且つ正確に行うことができる。
【図面の簡単な説明】
【００１４】
【図１】本考案にかかわる実施例を示す図で、検出器ブロックとカラムを密封連結する部分を断面で示す概念図である。
【図２】本考案のガスクロマトグラフの構成を示す概念図である。
【図３】本考案にかかわる変形実施例を示す図で、本変形実施例にかかわるフェルールの断面図である。
【図４】従来の検出器ブロックとカラムを密封連結する部分を断面で示す概念図である。
【考案を実施するための形態】
【００１５】
試料気化室および検出器ブロックに対して、試料気化室および検出器ブロックに対するカラム挿入長さを予め定められた最適な値に規制する係止部を内設するとともに、カラム挿入口に向かって拡大する円錐状凹部を形成する。さらにフェルールに対して、外周部は試料気化室および検出器ブロックの円錐状凹部に嵌合する端部に向かって縮小する円錐状凸部および内周部は前記端部に向かって拡大する円錐状凹部を形成する。
【実施例１】
【００１６】
図２は本考案にかかわるガスクロマトグラフの構成を示す概念図である。図２に示すとおりガスクロマトグラフの主要な構成要素は、分析すべき試料が注入される試料気化室１４と、この試料気化室１４からの試料をキャリアガスとともに流動させ、成分に応じて分離させる主体のカラム１と、このカラム１を試料気化室１４と、検出器１６の検出器ブロック４間にて接続する接続具（フェルール）等である。
【００１７】
図２にしたがって分析の流れを説明すると、試料気化室１４において、キャリアガス導入口１５から導入され、係止部２２に設けられたガス通路２１を通過したキャリアガスの流れの中に少量の試料が注入される。試料が気体であればそのままの状態で、液体試料であれば適当な温度に加熱されて試料気化室１４でガス状態に気化された試料は、キャリアガスに運ばれ、係止部２２に設けられた小孔２０を経てカラム１を通過する間に各成分に分離される。
【００１８】
各成分に分離された試料は、係止部１１に設けられた小孔９を通って検出器ブロック４に溶出し、検出器ガス導入路８より導入され係止部１１に設けられたガス通路１０を通過した検出器ガスと合流した後検出器１６へと流入し試料の成分と量が検出され、最後は排出路（図示せず）から大気に放出される。
【００１９】
ここでカラム１は、分析したい試料が気化している必要があるので、一般的に恒温槽（図示せず）内に収められている。また、試料気化室１４は試料を気体状態に保つとともに、周囲の温度変化の影響を受けないように、カラム１とは別の恒温槽（図示せず）に収められている。
【００２０】
図２に示す実施例１のガスクロマトグラフの構成に係り、図１に検出器ブロックとカラムを密封連結する部分を示す。検出器ブロック４に対するカラム挿入長さを規制するためにカラム１の先端を係止する係止部１１を内設するとともに、カラム挿入口に向かって拡大する円錐状凹部１２を検出器ブロック４に形成する。またカラム１と滑合する中空形状のフェルール２に、外周部は先端に向かって縮小する円錐状凸部１３および内周部は先端に向かって拡大する円錐状凹部１７を設ける。なお図２において、図１と同一の符号で示される部品は図１と同一の部品である。
【００２１】
フェルール２に貫設したカラム１の先端を軽く係止部１１に押し付けつつ、ナット３を締め込みながらフェルール２の円錐状凸部１３を検出器ブロック４の円錐状凹部１２に押し進めていくとフェルール２の円錐状凸部１３が検出器ブロック４の円錐状凹部１２に押し付け密着させられ、検出器ブロック４とフェルール２が密封される。さらにナット３を押し進めていくと、前記円錐状凹凸部１２、１３の押し付けにより発生する反力によってフェルール２を径方向に縮小させカラム１とフェルール２を固着部Ｂで固着密封させる。
【００２２】
さらにナット３を押し進めていくとフェルール２の円錐状凸部１３と検出器ブロック４の円錐状凹部の固着密封状態を保持したまま、フェルール２が支点Ａを支点として微小変形して固着部Ｂが支点Ａから遠ざかる方向に微小移動する。この固着部Ｂの移動と一体にカラム１の先端も係止部１１より退避するためカラム１の先端と係止部１１間に微小な隙間ができ、カラム先端が破損することがなくカラム挿入長さが確保される。したがって本考案によりカラムを検出器ブロック４に取付ける際、その取付け作業を容易に且つ正確に行うことができる。
【００２３】
係止部１１には、ガス通路１０とカラム１の軸芯と一致する位置にカラム外径よりわずかに小さい小孔９が設けられている。小孔９からはカラム１を通ってきた試料ガスが通過し、ガス通路１０からは検出器ガス導入路８から導入された検出器ガスが通過する。
【００２４】
試料気化室１４は検出器ブロック４と同様な密封連結構造である。すなわち、試料気化室１４もカラム１との密封連結構造とされており、その取付け作業を容易であり、且つ正確に行うことができる。
【実施例２】
【００２５】
図３に実施例２を示す。実施例２は実施例１のフェルールの形状を変形したものであり、それ以外は実施例１と全く同じであって、機能についても実施例１と全く同等である。したがって図３にはフェルール５のみを示す。ただし、カラム１の密封連結のためのナット３の締め付け力は、変形しやすい中空形状のフェルール２に対して中実形状であるフェルール５の方が大きくなるが、フェルール５の方が製作が安価で且つ容易である。
【符号の説明】
【００２６】
１  カラム
２  フェルール
３  ナット
４  検出器ブロック
５  フェルール
６  フェルール
７  検出器ブロック
８  検出器ガス導入路
９  小孔
１０  ガス通路
１１  係止部
１２  円錐状凹部
１３  円錐状凸部
１４  試料気化室
１５  キャリアガス導入口
１６  検出器
１７  円錐状凹部
１８  円錐状凹部
１９  円錐状凸部
２０  小孔
２１  ガス通路
２２  係止部
２３  検出器ガス導入路
Ａ  支点
Ｂ  固着部
７Ｎ  ねじ部
【図１】
0003158049.tif 000003
【図２】
0003158049.tif 000004
【図３】
0003158049.tif 000005
【図４】
0003158049.tif 000006